(57)【特許請求の範囲】
【請求項１】
一面に発光ダイオードが実装されている回路基板と、前記一面に取付けられ、前記発光ダイオードが発光した光を拡散させるレンズと、該レンズがその内部に配される孔を有し、前記レンズが拡散した光を反射させる反射シートとを備える光源装置において、
前記孔の縁部の一部は、前記レンズの前記一面への取付側面に対向し、前記反射シートが前記一面から離隔する方向へ偏倚するのを規制する規制部を有すること
を特徴とする光源装置。
【請求項２】
前記反射シートは前記回路基板に沿う方向へ移動可能であり、該反射シートの移動により前記規制部が前記取付側面に対向する請求項１記載の光源装置。
【請求項３】
前記回路基板を支持する板部を有する支持体を備え、該支持体の板部及び反射シートは縦姿勢をとり、該反射シートは、自重によって下方への移動が可能であり、該反射シートの下方への移動により前記規制部が前記取付側面に対向する請求項１記載の光源装置。
【請求項４】
一側に表示面を有する表示部と、該表示部の他側に配された請求項１から３のいずれか一つに記載の光源装置とを備えることを特徴とする表示装置。
【請求項５】
テレビ放送信号を受信して前記表示面にテレビ画像を表示する請求項４に記載の表示装置を含むことを特徴とするテレビ受像装置。 
【発明の詳細な説明】
【技術分野】
【０００１】
本発明は発光ダイオードが実装されている回路基板を備える光源装置及びこの光源装置を備える表示装置、この表示装置を含むテレビ受像装置に関する。
【背景技術】
【０００２】
テレビジョン等の表示装置は、画像を表示する表示面を前側に有する表示部の後側に光源装置が配されている。
【０００３】
光源装置は、例えば一面に複数の発光ダイオードを実装してある発光ダイオード基板と、前記発光ダイオードを収容し、該発光ダイオードが発光した光を拡散させるレンズと、該レンズが挿通される貫通孔を有し、前記レンズを発光ダイオード基板に保持するレンズカバーとを備え、前記レンズが拡散した光を反射させる反射層を前記レンズカバーに設けてある（例えば、特許文献１参照。）。
【０００４】
前記レンズは、前記貫通孔よりも小径の半球形をなし、前記貫通孔に挿通される透光部及び該透光部の開放側周縁から外方へ突出し、前記貫通孔よりも大径の鍔部を有し、前記レンズカバーを複数本の雄螺子にて発光ダイオード基板に取付けることにより、レンズカバーにおける貫通孔の周縁部と発光ダイオード基板との間で前記鍔部を挟み込み、レンズを位置決めして固定するように構成されている。
【先行技術文献】
【特許文献】
【０００５】
【特許文献１】特開２００８−４１５４６号公報
【発明の概要】
【発明が解決しようとする課題】
【０００６】
しかし、特許文献１のようにレンズカバーがレンズを位置決めして固定する構成にあっては、レンズカバーを比較的厚肉のシートで構成することにより、レンズカバーが変形し難くなり、比較的少数の雄螺子にてレンズを位置決めして固定することができる。しかし、光源装置を備える液晶テレビジョン等の薄型の表示装置は低価格化、軽量化及び薄型化の一途をたどっているため、レンズカバーが比較的厚肉のシートで構成された場合、表示装置の低価格化、軽量化及び薄型化に支障を来すことになり好ましくない。
【０００７】
レンズカバーを比較的薄肉のシートで構成した場合、レンズに対応する貫通孔が開設されているレンズカバーが変形し易くなるため、雄螺子の個数を増加しないことにはレンズカバーの反り等の変形を抑止することができず、部品点数が増加するとともに、雄螺子の捩込み工数が増加し、コスト高になるというを問題があり、また、発光ダイオードの個数が比較的多い場合、雄螺子と離隔して配されるレンズの位置が不安定になり易いという問題もあった。
【０００８】
本発明は斯かる事情に鑑みてなされたものであり、主たる目的は螺子を用いることなく、反射シートが浮き上がらないように該反射シートを簡易に組み込むことができる光源装置及び表示装置を提供することにある。
【課題を解決するための手段】
【０００９】
本発明に係る光源装置は、一面に発光ダイオードが実装されている回路基板と、前記一面に取付けられ、前記発光ダイオードが発光した光を拡散させるレンズと、該レンズがその内部に配される孔を有し、前記レンズが拡散した光を反射させる反射シートとを備える光源装置において、前記孔の縁部の一部は、前記レンズの前記一面への取付側面に対向し、前記反射シートが前記一面から離隔する方向へ偏倚するのを規制する規制部を有することを特徴とする。
【００１０】
この発明にあっては、一面に発光ダイオードが実装されている回路基板の一面に反射シートが対向し、該反射シートの孔内にレンズが配されるとき、反射シートを回路基板に沿って若干ずらせるか、又は孔の縁部の規制部をレンズにてシート厚さ方向へ若干撓ませることにより、孔の縁部の規制部をレンズの取付側面と回路基板との間に嵌め込むことができ、該規制部にて反射シートが回路基板と離隔する方向へ偏倚するのを規制することができるので、反射シートが浮き上がらないように該反射シートを容易に組み込むことができる。
【００１１】
また、本発明に係る光源装置は、前記反射シートは前記回路基板に沿う方向へ移動可能であり、該反射シートの移動により前記規制部が前記取付側面に対向する構成とするのが好ましい。
この発明にあっては、一面に発光ダイオードが実装されている回路基板の一面に反射シートが対向し、該反射シートの孔内にレンズが配されるとき、反射シートを回路基板に沿う方向へ若干ずらせることにより、孔の縁部の規制部をレンズの取付側面と回路基板との間に嵌め込むことができ、該規制部にて反射シートが回路基板と離隔する方向へ偏倚するのを規制することができるので、反射シートが浮き上がらないように該反射シートを容易に組み込むことができる。
【００１２】
また、本発明に係る光源装置は、前記回路基板を支持する板部を有する支持体を備え、該支持体の板部及び反射シートは縦姿勢をとり、該反射シートは、自重によって下方への移動が可能であり、該反射シートの下方への移動により前記規制部が前記取付側面に対向する構成とするのが好ましい。
この発明にあっては、一面に発光ダイオードが実装されている回路基板の一面に、縦姿勢をとる反射シートが対向し、該反射シートの孔内にレンズが配された後、反射シートが自重によって下方へ移動し、孔の縁部の規制部をレンズの取付側面と回路基板との間に嵌め込むことができ、該規制部にて反射シートが回路基板と離隔する方向へ偏倚するのを規制することができるので、反射シートが浮き上がらないように該反射シートを容易に組み込むことができる。
【００１３】
また、本発明に係る表示装置は、一側に表示面を有する表示部と、該表示部の他側に配された前述した発明の光源装置とを備えることを特徴とする。
この発明にあっては、反射シートの孔の縁部に設けられている規制部にて反射シートの回路基板に対する浮上がりを防ぐことができ、反射シートの変形を防ぐことができる。また、反射シートの浮上がりを既存のレンズが防ぐため、部品点数を増加することなく反射シートの変形を防ぐことができ、表示装置を低価格化、軽量化及び薄型化することができる。
【００１４】
また、本発明に係るテレビ受像装置は、テレビ放送信号を受信して前記表示面にテレビ画像を表示する前述した発明の表示装置を含むことを特徴とする。
この発明にあっては、テレビ放送信号を受信して表示面にテレビ画像を表示することができる。
【発明の効果】
【００１５】
本発明によれば、反射シートにおける孔の縁部に設けられている規制部にて反射シートの回路基板に対する浮上がりを防ぐことができ、反射シートの変形を防ぐことができ、表示装置の低価格化、軽量化及び薄型化を図ることができる。
【図面の簡単な説明】
【００１６】
【図１】本発明に係る光源装置の構成を示す一部を拡大した断面図である。
【図２】本発明に係る光源装置の要部の構成を示す拡大平面図である。
【図３】本発明に係る光源装置の一部を分解した模式的斜視図である。
【図４】本発明に係る光源装置の一部を省略した平面図である。
【図５】レンズが取付けられている発光ダイオード基板の構成を示す斜視図である。
【図６】反射シートが組み込まれるときの状態を示す説明図である。
【図７】本発明に係る光源装置を備える表示装置の構成を示す断面図である。
【図８】本発明に係る光源装置の要部の他の構成を示す拡大平面図である。
【図９】本発明に係る光源装置の要部の他の構成を示す拡大断面図である。
【図１０】反射シートが組込まれるときの状態を示す説明図である。
【図１１】本発明に係る光源装置の要部の他の構成を示す模式的平面図である。
【図１２】本発明に係る光源装置の要部の他の構成を示す模式的平面図である。
【図１３】本発明に係る光源装置の要部の他の構成を示す模式的平面図である。
【図１４】Ａは本発明に係る光源装置の要部の他の構成を示す拡大平面図、Ｂは反射シートが組込まれるときの状態を示す説明図である。
【図１５】Ａは本発明に係る光源装置の要部の他の構成を示す拡大平面図、Ｂは反射シートが組込まれるときの状態を示す説明図である。
【図１６】Ａは本発明に係る光源装置の要部の他の構成を示す拡大平面図、Ｂは反射シートが組込まれるときの状態を示す説明図である。
【図１７】Ａは本発明に係る光源装置の要部の他の構成を示す拡大平面図、Ｂは反射シートが組込まれるときの状態を示す説明図である。
【発明を実施するための形態】
【００１７】
以下本発明をその実施の形態を示す図面に基づいて詳述する。
実施の形態１
図１は光源装置の構成を示す一部を拡大した断面図、図２は要部の構成を示す拡大平面図、図３は光源装置の一部を分解した模式的斜視図、図４は光源装置の一部を省略した平面図、図５はレンズが取付けられている発光ダイオード基板の構成を示す斜視図である。
【００１８】
図示した光源装置は、前側に表示面を有し、略直方体をなす表示部を備える薄型の表示装置における表示部の後側に装着されるもので、碁盤目のように並置される複数の発光ダイオード１と、該発光ダイオード１を一面２ａに実装してあり、格子状に並置される複数の発光ダイオード基板２と、該発光ダイオード基板２の一面２ａに取付けられて発光ダイオード１の頂部と対向し、該発光ダイオード１が発光した光を拡散させる複数のレンズ３と、該レンズ３がその内部に配される孔４１を有し、前記一面２ａに載置されてレンズ３が拡散した光を反射させる反射シート４と、隣合う発光ダイオード基板２，２同士を接続してある複数のコネクタ５と、発光ダイオード基板２を並べて支持する板部を有する支持体６とを備える。尚、発光ダイオード基板２が回路基板を構成している。
【００１９】
回路基板としての発光ダイオード基板２は図３〜図５に示すように短冊状をなし、略矩形をなす支持体６の一面６ａに長手方向及び幅方向に離隔して並置されている。発光ダイオード基板２夫々の一面２ａには図５に示すように複数の発光ダイオード１を長手方向に離隔して実装してあり、一面２ａの長手方向両端部には接続部２１，２２が設けられている。
【００２０】
並置された発光ダイオード基板２において、前記長手方向一列の発光ダイオード基板２は、隣合う二つの接続部２１，２１同士がコネクタ５にて接続され、一方の発光ダイオード基板２が後記する電源回路基板に第２コネクタにて接続され、他方の発光ダイオード基板２が後記する制御回路基板に第３コネクタにて接続されている。
【００２１】
発光ダイオード１は図３に示すように発光ダイオード基板２の長手方向に離隔して例えば５個、又は６個実装されており、発光ダイオード１夫々に対応して５個、又は６個のレンズ３が接着剤にて一面２ａに取付けられている。
【００２２】
レンズ３は、発光ダイオード１の頂部と離隔して対向し、該発光ダイオード１が発光した光を四方に拡散させるための半球状凹部を有する透光部３１と、該透光部３１の周面の一部から外方へ突出し、反射シート４における孔４１の縁部のシート面と対向して該反射シート４が一面２ａと離隔する方向へ偏倚するのを規制するための規制手段としての凸部３２と、透光部３１の一面２ａと対向する取付側面３ａから発光ダイオード基板２へ向けて突出し、凸部３２の発光ダイオード基板２に対する位置を決める三つの位置決め突起３３とを有し、該位置決め突起３３の先端が一面２ａに接着剤にて取付けられている。
【００２３】
透光部３１は、孔４１よりも若干小形に形成されている。凸部３２は一面２ａと対向する位置に配され、孔４１の縁を超える長さに形成され、該凸部３２と一面２ａとの間に反射シート４の孔４１の縁部を介在させ、反射シート４の発光ダイオード基板２に対する浮き上がりを防ぐようになしてある。
【００２４】
位置決め突起３３は、凸部３２と発光ダイオード基板２との間の距離を、反射シート４の厚さよりも若干長くし、反射シート４の熱膨張を吸収することができるようになしてある。
【００２５】
反射シート４は、高反射性を有し、支持体６に対応して略矩形をなす一枚の合成樹脂シートからなり、レンズ３夫々に対応する箇所に孔４１が開設され、コネクタ５に対応する箇所に第２貫通孔４２が開設されている。孔４１の縁で凸部と対向する位置には放射方向へ切り込まれたスリット４３が設けられている。
【００２６】
孔４１は透光部３１よりも若干大径の丸形をなし、碁盤目状に配し、透光部３１が内部に配されている。スリット４３は凸部３２の幅方向中央と対応する箇所に配され、凸部３２の長さよりも長く形成されている。第２貫通孔４２は、略矩形をなし、コネクタ５が挿通されている。
【００２７】
支持体６は金属板を成形してなり、略矩形をなす平板状の板部６１及び該板部６１の周縁に連なる枠部を有し、板部６１の一面６ａに発光ダイオード基板２を長手方向及び幅方向に並べて収容支持してある。
【００２８】
板部６１における他面の長手方向一側部には、第２コネクタにて発光ダイオード基板２のドライバに接続され、該ドライバに電圧を供給する電源回路基板が取付けられており、長手方向他側部には、第３コネクタにて発光ダイオード基板２のドライバに接続され、該ドライバを制御する制御回路基板が取付けられている。また、板部６１における他面の長手方向中央部には前記表示部に電圧を供給する電源回路基板、前記表示部の表示面に表示される画像を処理する端子回路基板、前記表示部を制御する制御回路基板等の複数の回路基板が取付けられている。
【００２９】
図６は反射シート４が組み込まれるときの状態を示す説明図である。以上のように構成された光源装置は、一面２ａに複数の発光ダイオード１が実装され、該発光ダイオード１夫々の頂部と対向するレンズ３が取付けられている発光ダイオード基板２が支持体６における板部６１の一面６ａに複数列に並置され、止具等の移動止め手段にて板部６１に取付けられた後、該発光ダイオード基板２の一面２ａに反射シート４が対向載置される。この際、レンズ３における透光部３１が反射シート４の各孔４１に嵌まり、図６に示すように反射シート４における孔４１の縁部のスリット４３部分がレンズ３の凸部３２に当接する。この状態で、反射シート４における孔４１のスリット４３部分を発光ダイオード基板２側へ押圧することにより、スリット４３部分が凸部３２にて該凸部３２と離隔する側へ撓み、該スリット４３部分を凸部３２及び発光ダイオード基板２の間の空間に嵌め込むことができる。
【００３０】
この状態では、比較的短い離隔距離で碁盤目状に配されるレンズ３夫々の凸部３２が反射シート４における孔４１の縁部のシート面と対向するため、反射シート４の浮上がりを効果的に防ぐことができる。また、反射シート４を発光ダイオード基板２の一面２ａに対向載置した後、該反射シート４のスリット４３部分を押圧するだけで、反射シート４を、該反射シート４が浮き上がらないように組み込むことができる。
【００３１】
図７は本発明に係る光源装置を備える表示装置の構成を示す断面図である。この表示装置は、テレビ画像を表示する表示面を前側に有する表示部７０と、支持体６の板部６１及び反射シート４が縦姿勢となるように表示部７０の後側に配されている光源装置Ａと、表示部７０の周縁部及び光源装置Ａの後側を隠蔽するキャビネット７１とを備え、テレビ放送信号を受信して前記表示面にテレビ画像を表示することができるテレビ受像装置である。
【００３２】
表示部７０は、表示面を有する表示パネル７２と、該表示パネル７２の後側に配されている光学シート７３とを有する。表示パネル７２の周縁部は、前保持枠体７４と、後保持枠体７５とにより前後に挾着保持され、パネルモジュールを構成しており、後保持枠体７５が支持体６の周縁部に取付けられている。
【００３３】
光学シート７３は、光源としての発光ダイオード１が発光した光を拡散する比較的厚肉の拡散板と、反射偏光板、プリズムシート、拡散シート等の比較的薄肉の合成樹脂シートが積層された積層体である。
【００３４】
支持体６は板部６１及び該板部６１の周縁に連なる枠部６２を有し、該枠部６２に前記拡散板の周縁部を支持している。
【００３５】
キャビネット７１は、表示部７０の周縁部前側を隠蔽するキャビネット前分体７１ａと、光源装置Ａの周縁部及び後側を隠蔽する深皿形状のキャビネット後分体７１ｂとを有し、支持体６の枠部６２に雄螺子により取付けられている。
【００３６】
実施の形態２
図８は光源装置の要部の他の構成を示す拡大平面図、図９は光源装置の要部の他の構成を示す拡大断面図、図１０は反射シート４が組込まれるときの状態を示す説明図である。この光源装置は、反射シート４における孔４１の縁にスリット４３を設ける代わりに、孔４１を、凸部３２を有するレンズ３よりも若干大径の丸形に形成して、発光ダイオード基板２の一面２ａに反射シート４を対向載置するとき、透光部３１及び凸部３２を孔４１に嵌め込み、反射シート４を前記一面２ａに載置した状態で該反射シート４を発光ダイオード基板２に沿う方向へ移動させることにより、反射シート４の孔４１周縁部を凸部３２及び発光ダイオード基板２の間の空間に嵌め込むことができるように構成したものである。
【００３７】
この実施の形態にあっては、反射シート４を発光ダイオード基板２の一面２ａに対向載置した後、該反射シート４を発光ダイオード基板２に沿う方向へ移動させることにより、比較的短い離隔距離で碁盤目状に配されるレンズ３夫々の凸部３２及び発光ダイオード基板２の間の空間に反射シート４の孔４１周縁部を嵌め込むことができるため、反射シート４を、該反射シート４が浮き上がらないように組み込むことができ、反射シート４の組込作業性をより一層高めることができる。
その他の構成及び作用は実施の形態１と同様であるため、同様の部品については同じ符号を付し、その詳細な説明及び作用効果の説明を省略する。
【００３８】
実施の形態３
図１１は光源装置の要部の他の構成を示す模式的平面図である。この光源装置は、規制手段としての凸部３２が同一方向へ向くようにレンズ３を配する代わりに、凸部３２が異方向へ向くように、換言すると略矩形をなす板部６１の四辺側へ向くようにレンズ３を配したものである。
【００３９】
略矩形をなす板部６１に短冊状をなす複数の発光ダイオード基板２が並置される構成において、板部６１の一つの長辺側に配する発光ダイオード基板２に取付けられるレンズ３は、凸部３２が一つの長辺側に向き、板部６１の他の長辺側に配する発光ダイオード基板２に取付けられるレンズ３は、凸部３２が他の長辺側に向き、中央側に配する発光ダイオード基板２に取付けられるレンズ３は、凸部３２が一つの短辺側及び他の短辺側と、他の長辺側とに向くように配してある。換言すると凸部３２が支持体６の周囲側、ひいては前記表示装置における表示部の周囲側に向くように各レンズ３が配されている。
【００４０】
反射シート４における孔４１の縁部で、各レンズ３の凸部３２の幅方向中央と対向する箇所にスリット４３が設けられている。
【００４１】
この実施の形態にあっては、発光ダイオード基板２の一面２ａに反射シート４が対向載置され、該反射シート４の各孔４１内にレンズ３が配されるとき、反射シート４における孔４１の縁部のスリット４３部分が各レンズ３の凸部３２に当接する。この状態で、反射シート４における孔４１のスリット４３部分を発光ダイオード基板２側へ押圧することにより、スリット４３部分が凸部３２にて該凸部３２と離隔する側へ撓み、該スリット４３部分を凸部３２及び発光ダイオード基板２の間の空間に嵌め込むことができ、反射シート４が一面２ａと離隔する方向へ偏倚するのを規制することができる。
【００４２】
レンズ３の凸部３２は該凸部３２がないレンズ３に比べて輝度むらになる要素が高くなるが、実施の形態３のレンズ３は、凸部３２が異方向へ向いているため、凸部３２による輝度むらをより一層低減することができる。
その他の構成及び作用は実施の形態１と同様であるため、同様の部品については同じ符号を付し、その詳細な説明及び作用効果の説明を省略する。
【００４３】
実施の形態４
図１２は光源装置の要部の他の構成を示す模式的平面図である。この光源装置は、各発光ダイオード基板２上のレンズ３の凸部３２が千鳥配置となるように構成したものである。
【００４４】
略矩形をなす板部６１に短冊状をなす複数の発光ダイオード基板２が並置される構成において、各発光ダイオード基板２に取付けられる複数のレンズ３は、該レンズ３の凸部３２が千鳥配置となるように配してある。
【００４５】
反射シート４における孔４１の縁部で、各レンズ３の凸部３２の幅方向中央と対向する箇所に設けられるスリット４３は、凸部３２の千鳥配置に対応して千鳥配置となる箇所に設けられている。
【００４６】
この実施の形態にあっては、発光ダイオード基板２の一面２ａに反射シート４が対向載置され、該反射シート４の各孔４１内にレンズ３が配されるとき、反射シート４における孔４１の縁部のスリット４３部分が各レンズ３の凸部３２に当接する。この状態で、反射シート４における孔４１のスリット４３部分を発光ダイオード基板２側へ押圧することにより、スリット４３部分が凸部３２にて該凸部３２と離隔する側へ撓み、該スリット４３部分を凸部３２及び発光ダイオード基板２の間の空間に嵌め込むことができ、反射シート４が一面２ａと離隔する方向へ偏倚するのを規制することができる。
【００４７】
レンズ３の凸部３２は該凸部３２がないレンズ３に比べて輝度むらになる要素が高くなるが、実施の形態４のレンズ３は、凸部３２が千鳥配置になっており、凸部３２が分散されているため、凸部３２による輝度むらをより一層低減することができる。
その他の構成及び作用は実施の形態１と同様であるため、同様の部品については同じ符号を付し、その詳細な説明及び作用効果の説明を省略する。
【００４８】
実施の形態５
図１３は光源装置の要部の他の構成を示す模式的平面図である。この光源装置は、支持体６が縦姿勢となるように配された場合、レンズ３の凸部３２が上向きとなるようにレンズ３を配したものである。
【００４９】
支持体６が縦姿勢となるように配された場合、短冊状をなす発光ダイオード基板２は横方向に長くなるように並置され、各発光ダイオード基板２の一面２ａに取付けられるレンズ３は、凸部３２が発光ダイオード基板２の幅方向で、凸部３２が上向きとなるように配され、反射シート４はシート面が上下方向となる縦姿勢をとる。
【００５０】
反射シート４における孔４１の縁部で、各レンズ３の凸部３２の幅方向中央と対向する箇所にスリット４３が設けられている。
【００５１】
この実施の形態にあっては、発光ダイオード基板２の一面２ａに反射シート４が対向載置され、該反射シート４の各孔４１内にレンズ３が配されるとき、反射シート４における孔４１の縁部のスリット４３部分が各レンズ３の凸部３２に当接する。この状態で、反射シート４における孔４１のスリット４３部分を発光ダイオード基板２側へ押圧することにより、スリット４３部分が凸部３２にて該凸部３２と離隔する側へ撓み、該スリット４３部分を凸部３２及び発光ダイオード基板２の間の空間に嵌め込むことができ、反射シート４が一面２ａと離隔する方向へ偏倚するのを規制することができる。
【００５２】
支持体６が縦姿勢となるように配された場合、反射シート４も縦姿勢となり、該反射シート４の自重が凸部３２の基側方向に加わるため、孔４１の縁部が凸部３２から外れ難くなり、短い凸部３２であっても反射シート４の適正な縦姿勢を維持することができる。
その他の構成及び作用は実施の形態１と同様であるため、同様の部品については同じ符号を付し、その詳細な説明及び作用効果の説明を省略する。
【００５３】
実施の形態６
図１４Ａ、図１５Ａ及び図１６Ａは光源装置の要部の他の構成を示す拡大平面図、図１４Ｂ、図１５Ｂ及び図１６Ｂは反射シートが組込まれるときの状態を示す説明図である。この光源装置は、規制手段としての凸部３２がレンズ３に設けられる代わりに、反射シート４における孔４１の縁に、レンズ３の発光ダイオード基板２への取付側面３ａと対向する規制部としての凸部４４を設け、反射シート４が前記一面２ａと離隔する方向へ偏倚するのを凸部４４にて規制するように構成したものである。
【００５４】
図１４Ａでは、凸部３２がないレンズ３よりも若干大径の丸形に形成される孔４１の縁に、略Ｖ字形をなす一つの凸部４４が一体に設けられている。
【００５５】
この実施の形態にあっては、発光ダイオード基板２の一面２ａに反射シート４を対向載置するとき、レンズ３を孔４１に嵌め込み、反射シート４を前記一面２ａに載置した状態で該反射シート４を発光ダイオード基板２に沿う方向へ若干移動させることにより、図１４Ｂに示すように反射シート４の凸部４４がレンズ３の取付側面３ａ及び発光ダイオード基板２の間の空間に嵌め込まれて取付側面３ａと対向し、反射シート４が一面２ａと離隔する方向へ偏倚するのを規制することができる。
【００５６】
図１５Ａでは、凸部３２がないレンズ３よりも若干大径の丸形に形成される孔４１を略Ｄ字形とすることにより、孔４１の非丸形部分を規制部としての凸部４４としてある。
【００５７】
この実施の形態にあっては、発光ダイオード基板２の一面２ａに反射シート４を対向載置するとき、レンズ３を孔４１に嵌め込み、反射シート４を前記一面２ａに載置した状態で該反射シート４を発光ダイオード基板２に沿う方向へ若干移動させることにより、図１５Ｂに示すように反射シート４の凸部４４がレンズ３の取付側面３ａ及び発光ダイオード基板２の間の空間に嵌め込まれて取付側面３ａに対向し、反射シート４が一面２ａと離隔する方向へ偏倚するのを規制することができる。
【００５８】
図１６Ａでは、凸部３２がないレンズ３よりも若干大径の丸形に形成される孔４１の縁に、略Ｖ字形をなす二つの凸部４４，４４が周方向に離隔して一体に設けられている。
【００５９】
この実施の形態にあっては、発光ダイオード基板２の一面２ａに反射シート４を対向載置するとき、レンズ３を孔４１に嵌め込み、反射シート４を前記一面２ａに載置した状態で該反射シート４を発光ダイオード基板２に沿う方向へ若干移動させることにより、図１６Ｂに示すように反射シート４の二つの凸部４４，４４がレンズ３の取付側面３ａ及び発光ダイオード基板２の間の空間に嵌め込まれて取付側面３ａと対向し、反射シート４が一面２ａと離隔する方向へ偏倚するのを規制することができる。
【００６０】
以上のように反射シート４における孔４１の縁に規制部としての凸部４４が設けられている構成にあっては、凸部４４も高反射性を有するから、レンズ３に凸部３２が設けられる場合に比べて凸部４４による輝度むらを考慮する必要がなくなる。
その他の構成及び作用は実施の形態１と同様であるため、同様の部品については同じ符号を付し、その詳細な説明及び作用効果の説明を省略する。
【００６１】
実施の形態７
図１７Ａは光源装置の要部の他の構成を示す拡大平面図、図１７Ｂは反射シートが組込まれるときの状態を示す説明図である。この光源装置は、規制手段としての凸部３２，４４がレンズ３又は反射シート４に設けられる代わりに、レンズ３及び反射シート４における孔４１の縁に規制手段としての凸部３２，４４を設け、反射シート４が前記一面２ａと離隔する方向へ偏倚するのを凸部３２，４４にて規制するように構成したものである。
【００６２】
レンズ３の凸部３２と孔４１の凸部４４とは、レンズ３の周面及び孔４１の周面が対向する側に、周方向に離隔して設けられている。孔４１には周方向に離隔して二つの凸部４４，４４が設けられ、レンズ３には凸部４４，４４間に配される一つの凸部３２が設けられている。
【００６３】
この実施の形態にあっては、発光ダイオード基板２の一面２ａに反射シート４を対向載置するとき、レンズ３を孔４１に嵌め込み、反射シート４を前記一面２ａに載置した状態で該反射シート４を発光ダイオード基板２に沿う方向へ若干移動させることにより、図１７Ｂに示すように反射シート４の二つの凸部４４，４４がレンズ３の取付側面３ａ及び発光ダイオード基板２の間の空間に嵌め込まれて取付側面３ａに対向するとともに、レンズ３の凸部３２が反射シート４のシート面と対向し、両方の凸部３２，４４により反射シート４が一面２ａと離隔する方向へ偏倚するのを規制することができる。また、凸部４４がレンズ３の取付側面３ａと対向し、凸部３２が反射シート４のシート面と対向し、一方の凸部３２又は４４だけの場合に比べて凸部３２，４４を短くすることができるため、孔４１とレンズ３周面との間の隙間量を低減でき、孔４１内に露出する発光ダイオード基板２の露出量を低減できる。
その他の構成及び作用は実施の形態１と同様であるため、同様の部品については同じ符号を付し、その詳細な説明及び作用効果の説明を省略する。
【００６４】
尚、以上説明した実施の形態２乃至７は、実施の形態１乃至７のいずれかと組合わせる構成としてもよい。
実施の形態５の縦姿勢と、実施の形態６の図１５Ａ，図１５Ｂとを組合わせた場合、支持体６及び反射シート４が縦姿勢となり、シート面が上下方向となる反射シート４の孔４１の縁部に規制部としての凸部４４が設けられている構成となる。
この構成にあっては、発光ダイオード基板２の一面２ａに反射シート４が対向載置され、該反射シート４の各孔４１内にレンズ３が配された後、反射シート４の自重にて該反射シート４が下方へ移動することになるため、反射シート４の孔４１の縁部に設けられている凸部４４が、レンズ３及び発光ダイオード基板２の間の空間に嵌り込み取付側面３ａに対向することになり、反射シート４が一面２ａと離隔する方向へ偏倚するのを規制することができる。
【００６５】
また、以上説明した実施の形態６乃至７において、孔４１の縁に、略Ｖ字形をなす一つの凸部４４が一体に設けられているが、凸部４４を殊更設けることなく、反射シート４の自重を用いて反射シート４をレンズ３の取付側面３ａ及び発光ダイオード基板２の間の空間に組み込んでも構わない。すなわち、反射シート４に自重が加わった場合、位置決め突起３３に孔４１の縁が係止できる構造を備えていてもよい。例えば、支持体６が縦姿勢となるように配された場合、支持体６の一つの長辺側に位置決め突起３３が配置されるようにレンズ３を取付ける。そして、孔４１を透光部３１よりも若干大径に形成する。このように構成することにより、支持体６を縦姿勢となるように配すると反射シート４も縦姿勢となり、反射シート４の自重により反射シート４をレンズ３の取付側面３ａ及び発光ダイオード基板２の間の空間に組み込むことができる。そのため、反射シート４の発光ダイオード基板２に対する浮き上がりを防止することができる。
【００６６】
また、以上説明した実施の形態において、反射シート４における孔４１の縁に設けるスリット４３の幅は特に制限されない。
【００６７】
また、以上説明した実施の形態２において、反射シート４における孔４１を、凸部３２を有するレンズ３よりも大径の丸孔に形成したが、その他、透光部３１及び凸部３２に対応する非円形孔としてもよく、孔４１の形状は特に制限されない。
【００６８】
また、以上説明した実施の形態において、レンズ３の凸部３２及び反射シート４の凸部４４は一つである他、周方向に離隔して複数配される構成としてもよく、凸部３２，４４の個数及び凸部３２，４４の向きは特に制限されない。
【符号の説明】
【００６９】
１    発光ダイオード
２    発光ダイオード基板（回路基板）
３    レンズ
４４  凸部（規制部）
４    反射シート
４１  孔
６    支持体
６１  板部
７０  表示部
Ａ    光源装置
【図１】
0005511588.tif 000002
【図２】
0005511588.tif 000003
【図３】
0005511588.tif 000004
【図４】
0005511588.tif 000005
【図５】
0005511588.tif 000006
【図６】
0005511588.tif 000007
【図７】
0005511588.tif 000008
【図８】
0005511588.tif 000009
【図９】
0005511588.tif 000010
【図１０】
0005511588.tif 000011
【図１１】
0005511588.tif 000012
【図１２】
0005511588.tif 000013
【図１３】
0005511588.tif 000014
【図１４】
0005511588.tif 000015
【図１５】
0005511588.tif 000016
【図１６】
0005511588.tif 000017
【図１７】
0005511588.tif 000018